【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
提供者側入力装置と提供者側表示装置とを備えた提供者側端末装置と、
ユーザー側入力操作装置とユーザー側表示装置とを備え情報通信網を介して前記提供者側端末装置と通信可能な、複数のユーザー側端末装置と、
を有するコンピュータを用いたシステムであって、
前記提供者側端末装置は、手書きの文字、図形、記号により構成された板書情報、または、１セットの選択肢情報からなり前記ユーザー側端末装置のユーザーによる評価の対象となる画像情報が、前記提供者側入力装置を介して入力されると、入力された画像情報を前記ユーザー側端末装置に送信する評価対象情報発信手段を備え、
前記ユーザー側端末装置は、前記提供者側端末装置から送信された前記画像情報を前記情報通信網を介して受信して前記ユーザー側表示装置の画像表示領域に表示する評価対象情報表示手段と、表示された画像情報に対するユーザーの理解度を示す情報である理解度情報、または、選択肢情報に対するユーザーの回答を示す情報である選択肢回答情報が前記ユーザー側入力操作装置を介して入力されると、当該理解度情報または選択肢回答情報と、当該理解度情報または選択肢回答情報の送信元を特定するための情報である送信元ＩＤとしての当該ユーザー側端末装置のユーザーＩＤと、を含む情報を反応情報として前記提供者側端末装置に送信する反応情報発信手段と、を備え、
前記提供者側端末装置は、さらに、前記ユーザー側端末装置から送信された前記反応情報を前記情報通信網を介して受信する手段を備えた、
反応情報表示システムにおいて、
当該反応情報表示システムは、さらに、当該システムを構成する前記各端末装置間で通信される画像情報および反応情報を通信時刻とともに記憶する通信情報データベースを有する通信情報記憶装置、を備え、
前記提供者側端末装置は、さらに、送信を要求する画像情報および反応情報を特定するためのサンプリング開始時刻、サンプリング周期、サンプル総数を含む評価対象情報要求信号および反応情報要求信号が前記提供者側入力装置から入力されると当該信号を前記通信情報記憶装置に送信し、当該信号を受信した前記通信情報記憶装置が当該信号にて特定された画像情報および反応情報を前記通信情報データベースから抽出して当該提供者側端末装置に送信してきたものを受信し、前記提供者側表示装置に、前記受信した画像情報を時系列に並べて表示するとともに、前記受信した反応情報の件数を反応情報の内容ごとにサンプリング周期ごとに集計してその推移をグラフ表示する通信情報再生手段を備えたこと、
を特徴とする反応情報表示システム。
【請求項２】
請求項１の反応情報表示システムにおいて、
前記通信情報再生手段は、
送信を要求する画像情報および反応情報を特定するためのサンプリング開始時刻、サンプリング周期、サンプル総数を含む評価対象情報要求信号および反応情報要求信号が前記提供者側入力装置から入力されると当該信号を前記通信情報記憶装置に送信し、当該信号を受信した前記通信情報記憶装置が当該信号にて特定された画像情報および反応情報を前記通信情報データベースから抽出して当該提供者側端末装置に送信してきたものを受信し、前記提供者側表示装置に、前記受信した画像情報を時系列に並べて表示するとともに、前記受信した各サンプリング周期内の反応情報をユーザーＩＤを付して一覧表示したものをさらに時系列に並べて表示するよう構成されたこと、
を特徴とするもの。
【請求項３】
請求項１の反応情報表示システムにおいて、
前記通信情報再生手段は、
送信を要求する画像情報および反応情報を特定するためのサンプリング開始時刻、サンプリング周期、サンプル総数を含む評価対象情報要求信号および反応情報要求信号が前記提供者側入力装置から入力されると当該信号を前記通信情報記憶装置に送信し、当該信号を受信した前記通信情報記憶装置が当該信号にて特定された画像情報および反応情報を前記通信情報データベースから抽出して当該提供者側端末装置に送信してきたものを受信し、前記提供者側表示装置に、前記受信した画像情報を時系列に並べて表示するとともに、前記受信した反応情報の件数を反応情報の内容ごとにサンプリング周期ごとに集計してその推移をグラフ表示するとともに、前記受信した各サンプリング周期内の反応情報をユーザーＩＤを付して一覧表示したものをさらに時系列に並べて表示するよう構成されたこと、
を特徴とするもの。
【請求項４】
提供者側入力装置と提供者側表示装置とを備えた提供者側端末装置と、
ユーザー側入力操作装置とユーザー側表示装置とを備え情報通信網を介して前記提供者側端末装置と通信可能な、複数のユーザー側端末装置と、
を有するコンピュータを用いたシステムに用いる提供者側端末装置であって、
手書きの文字、図形、記号により構成された板書情報、または、１セットの選択肢情報からなり前記ユーザー側端末装置のユーザーによる評価の対象となる画像情報が、前記提供者側入力装置を介して入力されると、入力された画像情報を前記ユーザー側端末装置に送信する評価対象情報発信手段と、
前記評価対象情報発信手段によって送信され前記情報通信網を介して前記ユーザー側端末装置に受信され前記ユーザー側表示装置の画像表示領域に表示された画像情報に対するユーザーの理解度を示す情報である理解度情報、または、選択肢情報に対するユーザーの回答を示す情報である選択肢回答情報であって前記ユーザー側入力操作装置を介して入力された理解度情報または選択肢回答情報と、当該理解度情報または選択肢回答情報の送信元を特定するための情報である送信元ＩＤとしての当該ユーザー側端末装置のユーザーＩＤと、を含む情報である反応情報であって、当該提供者側端末装置に送信された反応情報を前記情報通信網を介して受信する手段と、
を備えた、提供者側端末装置において、
前記システムは、さらに、当該システムを構成する前記各端末装置間で通信される画像情報および反応情報を通信時刻とともに記憶する通信情報データベースを有する通信情報記憶装置、を備え、
当該提供者側端末装置は、さらに、送信を要求する画像情報および反応情報を特定するためのサンプリング開始時刻、サンプリング周期、サンプル総数を含む評価対象情報要求信号および反応情報要求信号が前記提供者側入力装置から入力されると当該信号を前記通信情報記憶装置に送信し、当該信号を受信した前記通信情報記憶装置が当該信号にて特定された画像情報および反応情報を前記通信情報データベースから抽出して当該提供者側端末装置に送信してきたものを受信し、前記提供者側表示装置に、前記受信した画像情報を時系列に並べて表示するとともに、前記受信した反応情報の件数を反応情報の内容ごとにサンプリング周期ごとに集計してその推移をグラフ表示する通信情報再生手段を備えたこと、
を特徴とする提供者側端末装置。
【請求項５】
請求項４の提供者側端末装置において、
前記通信情報再生手段は、
送信を要求する画像情報および反応情報を特定するためのサンプリング開始時刻、サンプリング周期、サンプル総数を含む評価対象情報要求信号および反応情報要求信号が前記提供者側入力装置から入力されると当該信号を前記通信情報記憶装置に送信し、当該信号を受信した前記通信情報記憶装置が当該信号にて特定された画像情報および反応情報を前記通信情報データベースから抽出して当該提供者側端末装置に送信してきたものを受信し、前記提供者側表示装置に、前記受信した画像情報を時系列に並べて表示するとともに、前記受信した各サンプリング周期内の反応情報をユーザーＩＤを付して一覧表示したものをさらに時系列に並べて表示するよう構成されたこと、
を特徴とするもの。
【請求項６】
請求項４の提供者側端末装置において、
前記通信情報再生手段は、
送信を要求する画像情報および反応情報を特定するためのサンプリング開始時刻、サンプリング周期、サンプル総数を含む評価対象情報要求信号および反応情報要求信号が前記提供者側入力装置から入力されると当該信号を前記通信情報記憶装置に送信し、当該信号を受信した前記通信情報記憶装置が当該信号にて特定された画像情報および反応情報を前記通信情報データベースから抽出して当該提供者側端末装置に送信してきたものを受信し、前記提供者側表示装置に、前記受信した画像情報を時系列に並べて表示するとともに、前記受信した反応情報の件数を反応情報の内容ごとにサンプリング周期ごとに集計してその推移をグラフ表示するとともに、前記受信した各サンプリング周期内の反応情報をユーザーＩＤを付して一覧表示したものをさらに時系列に並べて表示するよう構成されたこと、
を特徴とするもの。
【請求項７】
提供者側入力装置と提供者側表示装置とを備えた提供者側端末装置と、
ユーザー側入力操作装置とユーザー側表示装置とを備え情報通信網を介して前記提供者側端末装置と通信可能な、複数のユーザー側端末装置と、
を有するコンピュータを用いたシステムに用いるユーザー側端末装置であって、
手書きの文字、図形、記号により構成された板書情報、または、１セットの選択肢情報からなり当該ユーザー側端末装置のユーザーによる評価の対象となる画像情報であって前記提供者側入力装置を介して入力され前記提供者側端末装置から送信された画像情報を前記情報通信網を介して受信して前記ユーザー側表示装置の画像表示領域に表示する評価対象情報表示手段と、
表示された画像情報に対するユーザーの理解度を示す情報である理解度情報、または、選択肢情報に対するユーザーの回答を示す情報である選択肢回答情報が前記ユーザー側入力操作装置を介して入力されると、当該理解度情報または選択肢回答情報と、当該理解度情報または選択肢回答情報の送信元を特定するための情報である送信元ＩＤとしての当該ユーザー側端末装置のユーザーＩＤと、を含む情報を反応情報として前記提供者側端末装置に送信する反応情報発信手段と、
を備えた、ユーザー側端末装置において、
前記システムは、さらに、当該システムを構成する前記各端末装置間で通信される画像情報および反応情報を通信時刻とともに記憶する通信情報データベースを有する通信情報記憶装置、を備え、
当該ユーザー側端末装置は、さらに、送信を要求する画像情報および反応情報を特定するためのサンプリング開始時刻、サンプリング周期、サンプル総数を含む評価対象情報要求信号および反応情報要求信号が前記ユーザー側入力操作装置から入力されると当該信号を前記通信情報記憶装置に送信し、当該信号を受信した前記通信情報記憶装置が当該信号にて特定された画像情報および反応情報を前記通信情報データベースから抽出して当該ユーザー側端末装置に送信してきたものを受信し、前記ユーザー側表示装置に、前記受信した画像情報を時系列に並べて表示するとともに、前記受信した反応情報の件数を反応情報の内容ごとにサンプリング周期ごとに集計してその推移をグラフ表示する通信情報再生手段を備えたこと、
を特徴とするユーザー側端末装置。
【請求項８】
請求項７のユーザー側端末装置において、
前記通信情報再生手段は、
送信を要求する画像情報および反応情報を特定するためのサンプリング開始時刻、サンプリング周期、サンプル総数を含む評価対象情報要求信号および反応情報要求信号が前記ユーザー側入力操作装置から入力されると当該信号を前記通信情報記憶装置に送信し、当該信号を受信した前記通信情報記憶装置が当該信号にて特定された画像情報および反応情報を前記通信情報データベースから抽出して当該ユーザー側端末装置に送信してきたものを受信し、前記ユーザー側表示装置に、前記受信した画像情報を時系列に並べて表示するとともに、前記受信した各サンプリング周期内の反応情報をユーザーＩＤを付して一覧表示したものをさらに時系列に並べて表示するよう構成されたこと、
を特徴とするもの。
【請求項９】
請求項７のユーザー側端末装置において、
前記通信情報再生手段は、
送信を要求する画像情報および反応情報を特定するためのサンプリング開始時刻、サンプリング周期、サンプル総数を含む評価対象情報要求信号および反応情報要求信号が前記ユーザー側入力操作装置から入力されると当該信号を前記通信情報記憶装置に送信し、当該信号を受信した前記通信情報記憶装置が当該信号にて特定された画像情報および反応情報を前記通信情報データベースから抽出して当該ユーザー側端末装置に送信してきたものを受信し、前記ユーザー側表示装置に、前記受信した画像情報を時系列に並べて表示するとともに、前記受信した反応情報の件数を反応情報の内容ごとにサンプリング周期ごとに集計してその推移をグラフ表示するとともに、前記受信した各サンプリング周期内の反応情報をユーザーＩＤを付して一覧表示したものをさらに時系列に並べて表示するよう構成されたこと、
を特徴とするもの。
【請求項１０】
提供者側入力装置と提供者側表示装置とを備えた提供者側端末装置と、
ユーザー側入力操作装置とユーザー側表示装置とを備え情報通信網を介して前記提供者側端末装置と通信可能な、複数のユーザー側端末装置と、
を有するコンピュータを用いたシステムに用いる提供者側端末装置を、
手書きの文字、図形、記号により構成された板書情報、または、１セットの選択肢情報からなり前記ユーザー側端末装置のユーザーによる評価の対象となる画像情報が、前記提供者側入力装置を介して入力されると、入力された画像情報を前記ユーザー側端末装置に送信する評価対象情報発信手段と、
前記評価対象情報発信手段によって送信され前記情報通信網を介して前記ユーザー側端末装置に受信され前記ユーザー側表示装置の画像表示領域に表示された画像情報に対するユーザーの理解度を示す情報である理解度情報、または、選択肢情報に対するユーザーの回答を示す情報である選択肢回答情報であって前記ユーザー側入力操作装置を介して入力された理解度情報または選択肢回答情報と、当該理解度情報または選択肢回答情報の送信元を特定するための情報である送信元ＩＤとしての当該ユーザー側端末装置のユーザーＩＤと、を含む情報である反応情報であって、当該提供者側端末装置に送信された反応情報を前記情報通信網を介して受信する手段と、
して機能させるためのコンピュータプログラムにおいて、
前記システムは、さらに、当該システムを構成する前記各端末装置間で通信される画像情報および反応情報を通信時刻とともに記憶する通信情報データベースを有する通信情報記憶装置、を備え、
当該コンピュータプログラムは、さらに、提供者側端末装置を、送信を要求する画像情報および反応情報を特定するためのサンプリング開始時刻、サンプリング周期、サンプル総数を含む評価対象情報要求信号および反応情報要求信号が前記提供者側入力装置から入力されると当該信号を前記通信情報記憶装置に送信し、当該信号を受信した前記通信情報記憶装置が当該信号にて特定された画像情報および反応情報を前記通信情報データベースから抽出して当該提供者側端末装置に送信してきたものを受信し、前記提供者側表示装置に、前記受信した画像情報を時系列に並べて表示するとともに、前記受信した反応情報の件数を反応情報の内容ごとにサンプリング周期ごとに集計してその推移をグラフ表示する通信情報再生手段として機能させること、
を特徴とするコンピュータプログラム。
【請求項１１】
請求項１０のコンピュータプログラムにおいて、
前記通信情報再生手段は、
送信を要求する画像情報および反応情報を特定するためのサンプリング開始時刻、サンプリング周期、サンプル総数を含む評価対象情報要求信号および反応情報要求信号が前記提供者側入力装置から入力されると当該信号を前記通信情報記憶装置に送信し、当該信号を受信した前記通信情報記憶装置が当該信号にて特定された画像情報および反応情報を前記通信情報データベースから抽出して当該提供者側端末装置に送信してきたものを受信し、前記提供者側表示装置に、前記受信した画像情報を時系列に並べて表示するとともに、前記受信した各サンプリング周期内の反応情報をユーザーＩＤを付して一覧表示したものをさらに時系列に並べて表示するよう構成されたこと、
を特徴とするもの。
【請求項１２】
請求項１０のコンピュータプログラムにおいて、
前記通信情報再生手段は、
送信を要求する画像情報および反応情報を特定するためのサンプリング開始時刻、サンプリング周期、サンプル総数を含む評価対象情報要求信号および反応情報要求信号が前記提供者側入力装置から入力されると当該信号を前記通信情報記憶装置に送信し、当該信号を受信した前記通信情報記憶装置が当該信号にて特定された画像情報および反応情報を前記通信情報データベースから抽出して当該提供者側端末装置に送信してきたものを受信し、前記提供者側表示装置に、前記受信した画像情報を時系列に並べて表示するとともに、前記受信した反応情報の件数を反応情報の内容ごとにサンプリング周期ごとに集計してその推移をグラフ表示するとともに、前記受信した各サンプリング周期内の反応情報をユーザーＩＤを付して一覧表示したものをさらに時系列に並べて表示するよう構成されたこと、
を特徴とするもの。
【請求項１３】
提供者側入力装置と提供者側表示装置とを備えた提供者側端末装置と、
ユーザー側入力操作装置とユーザー側表示装置とを備え情報通信網を介して前記提供者側端末装置と通信可能な、複数のユーザー側端末装置と、
を有するコンピュータを用いたシステムに用いるユーザー側端末装置を、
手書きの文字、図形、記号により構成された板書情報、または、１セットの選択肢情報からなり当該ユーザー側端末装置のユーザーによる評価の対象となる画像情報であって前記提供者側入力装置を介して入力され前記提供者側端末装置から送信された画像情報を前記情報通信網を介して受信して前記ユーザー側表示装置の画像表示領域に表示する評価対象情報表示手段と、
表示された画像情報に対するユーザーの理解度を示す情報である理解度情報、または、選択肢情報に対するユーザーの回答を示す情報である選択肢回答情報が前記ユーザー側入力操作装置を介して入力されると、当該理解度情報または選択肢回答情報と、当該理解度情報または選択肢回答情報の送信元を特定するための情報である送信元ＩＤとしての当該ユーザー側端末装置のユーザーＩＤと、を含む情報を反応情報として前記提供者側端末装置に送信する反応情報発信手段と、
して機能させるためのコンピュータプログラムにおいて、
前記システムは、さらに、当該システムを構成する前記各端末装置間で通信される画像情報および反応情報を通信時刻とともに記憶する通信情報データベースを有する通信情報記憶装置、を備え、
当該コンピュータプログラムは、さらに、ユーザー側端末装置を、送信を要求する画像情報および反応情報を特定するためのサンプリング開始時刻、サンプリング周期、サンプル総数を含む評価対象情報要求信号および反応情報要求信号が前記ユーザー側入力操作装置から入力されると当該信号を前記通信情報記憶装置に送信し、当該信号を受信した前記通信情報記憶装置が当該信号にて特定された画像情報および反応情報を前記通信情報データベースから抽出して当該ユーザー側端末装置に送信してきたものを受信し、前記ユーザー側表示装置に、前記受信した画像情報を時系列に並べて表示するとともに、前記受信した反応情報の件数を反応情報の内容ごとにサンプリング周期ごとに集計してその推移をグラフ表示する通信情報再生手段として機能させること、
を特徴とするコンピュータプログラム。
【請求項１４】
請求項１３のコンピュータプログラムにおいて、
前記通信情報再生手段は、
送信を要求する画像情報および反応情報を特定するためのサンプリング開始時刻、サンプリング周期、サンプル総数を含む評価対象情報要求信号および反応情報要求信号が前記ユーザー側入力操作装置から入力されると当該信号を前記通信情報記憶装置に送信し、当該信号を受信した前記通信情報記憶装置が当該信号にて特定された画像情報および反応情報を前記通信情報データベースから抽出して当該ユーザー側端末装置に送信してきたものを受信し、前記ユーザー側表示装置に、前記受信した画像情報を時系列に並べて表示するとともに、前記受信した各サンプリング周期内の反応情報をユーザーＩＤを付して一覧表示したものをさらに時系列に並べて表示するよう構成されたこと、
を特徴とするもの。
【請求項１５】
請求項１３のコンピュータプログラムにおいて、
前記通信情報再生手段は、
送信を要求する画像情報および反応情報を特定するためのサンプリング開始時刻、サンプリング周期、サンプル総数を含む評価対象情報要求信号および反応情報要求信号が前記ユーザー側入力操作装置から入力されると当該信号を前記通信情報記憶装置に送信し、当該信号を受信した前記通信情報記憶装置が当該信号にて特定された画像情報および反応情報を前記通信情報データベースから抽出して当該ユーザー側端末装置に送信してきたものを受信し、前記ユーザー側表示装置に、前記受信した画像情報を時系列に並べて表示するとともに、前記受信した反応情報の件数を反応情報の内容ごとにサンプリング周期ごとに集計してその推移をグラフ表示するとともに、前記受信した各サンプリング周期内の反応情報をユーザーＩＤを付して一覧表示したものをさらに時系列に並べて表示するよう構成されたこと、
を特徴とするもの。
【請求項１６】
請求項１０ないし１５のいずれかのコンピュータプログラムを記録した記録媒体。